(57)【要約】【課題】薬剤効果とマッサージ効果の相乗効果を発揮する組み合わせ製品を提供する。【解決手段】複数の球形または異形のゴム等弾力性のある物質または空気とともに複数の球形または異形のゴム等弾力性のある物質を封入したものと薬剤効果物質やシートとを組み合わせて、その複数の球形または異形のゴム等弾力性のある物質または空気とともに複数の球形または異形のゴム等弾力性のある物質が荷重や体重移動等による負荷で自由又は思考された方法で平面的及び立体的に移動し、薬剤効果およびマッサージ効果を発揮できることを特徴とするシート状製品や立体的製品及び成果品にする。【選択図】図１
0003131717.tif 000002
【実用新案登録請求の範囲】
【請求項１】
複数の球形または異形のゴム等弾力性のある物質または空気とともに複数の球形または異形のゴム等弾力性のある物質を封入したものと薬剤効果物質やシートとを組み合わせて、その複数の球形または異形のゴム等弾力性のある物質または空気とともに複数の球形または異形のゴム等弾力性のある物質が荷重や体重移動等による負荷で自由又は思考された方法で平面的及び立体的に移動し、薬剤効果およびマッサージ効果を発揮できることを特徴とするシート状製品や立体的製品及び成果品。
【請求項２】
複数の球形または異形の弾力性のない物質または空気とともに複数の球形または異形の弾力性のない物質を封入したものと薬剤効果物質やシートとを組み合わせて、その複数の球形または異形の弾力性のない物質または空気とともに複数の球形または異形の弾力性のない物質が荷重や体重移動等による負荷で自由又は思考された方法で平面的及び立体的に移動し、薬剤効果およびマッサージ効果を発揮できることを特徴とするシート状製品や立体的製品及び成果品。
【請求項３】
水などの流体または空気とともに水などの流体を封入したものと薬剤効果物質やシートとを組み合わせて、その水などの流体または空気とともに水などの流体が荷重や体重移動等による負荷で自由又は思考された方法で平面的及び立体的に移動し薬剤効果およびマッサージ効果を発揮できることを特徴とするシート状製品や立体的製品及び成果品。
【請求項４】
粘性のある物質または空気とともに粘性のある物質を封入したものと薬剤効果物質やシートとを組み合わせて、その粘性のある物質または空気とともに粘性のある物質が荷重や体重移動等による負荷で自由又は思考された方法で平面的及び立体的に移動し薬剤効果およびマッサージ効果を発揮できることを特徴とするシート状製品や立体的製品及び成果品。
【請求項５】
複数の球形または異形のゴム等弾力性のある物質または空気とともに複数の球形または異形のゴム等弾力性のある物質と、複数の球形または異形の弾力性の乏しい物質または空気とともに複数の球形または異形の弾力性の乏しい物質と、水などの流体または空気とともに水などの流体と、粘性のある物質または空気とともに粘性のある物質と、湿気吸収剤・香料などの物質との任意の組み合わせたものを封入したものと薬剤効果物質やシートとを組み合わせて、その任意の物質の組み合わせたものが荷重や体重移動等による負荷で自由又は思考された方法で平面的及び立体的に移動し薬剤効果およびマッサージ効果を発揮できることを特徴とするシート状製品や立体的製品及び成果品。
【請求項６】
液状・粘性体の薬剤または液状・粘性体の薬剤を空気やガスとともに球形または異形の弾性体または非弾性体形状物質内に封入し、球形または異形の弾性体または非弾性体の形状物質が回転・移動することで液状・粘性体の薬剤または液状・粘性体の薬剤を空気やガスとともに球形または異形の弾性体または非弾性体形状物質内から染み出て患部に貼付され薬剤効果とともに球形または異形の弾性体または非弾性体形状物質の回転・移動運動によるマッサージ効果を与える薬剤と球形または異形の弾性体または非弾性体形状物質を組み合わせたシート状製品や立体的製品及び成果品。
【請求項７】
液状・粘性体の薬剤または液状・粘性体の薬剤を空気やガスとともにマイクロカプセル化した物を球形または異形の弾性体または非弾性体形状物質内に封入し、球形または異形の弾性体または非弾性体の形状物質が回転・移動することで液状・粘性体の薬剤または液状・粘性体の薬剤を空気やガスとともに球形または異形の弾性体または非弾性体形状物質内から染み出て患部に貼付され薬剤効果とともに球形または異形の弾性体または非弾性体形状物質の回転・移動運動によるマッサージ効果を与える薬剤と球形または異形の弾性体または非弾性体形状物質を組み合わせたシート状製品や立体的製品及び成果品。
【請求項８】
液状・粘性体の薬剤または液状・粘性体の薬剤を空気やガスとともに球形または異形の弾性体または非弾性体形状物質表面に貼付し、球形または異形の弾性体または非弾性体の形状物質が回転・移動することで液状・粘性体の薬剤または液状・粘性体の薬剤を空気やガスとともに球形または異形の弾性体または非弾性体形状物質表面より患部に貼付され、薬剤効果とともに球形または異形の弾性体または非弾性体形状物質の回転・移動運動によるマッサージ効果を与える薬剤と球形または異形の弾性体または非弾性体形状物質を組み合わせたシート状製品や立体的製品及び成果品。
【請求項９】
液状・粘性体の薬剤または液状・粘性体の薬剤を空気やガスとともにマイクロカプセル化した物を球形または異形の弾性体または非弾性体形状物質内に封入または表面に貼付し、球形または異形の弾性体または非弾性体の形状物質が回転・移動することで液状・粘性体の薬剤または液状・粘性体の薬剤を空気やガスとともに球形または異形の弾性体または非弾性体形状物質表面より患部に貼付され、薬剤効果とともに球形または異形の弾性体または非弾性体形状物質の回転・移動運動によるマッサージ効果を与える薬剤と球形または異形の弾性体または非弾性体形状物質を組み合わせたシート状製品や立体的製品及び成果品。
【考案の詳細な説明】
【技術分野】
【０００１】  本考案は、薬剤効果とマッサージ効果を組み合わせた製品に関する。
【背景技術】
【０００２】  従来、疲れや肩こり等に薬剤貼付シートや薬剤を患部に貼付・塗布たり、身体のツボに磁石や突起物による緩和治療効果を施していた。【０００３】  又、特開２００１−２８６５３１号公報のように、フィルム突起状小区画気体封入材と湿布剤層とによる特定部位に対しての押圧・マッサージ効果をうたったものがある。【０００４】  さらに、特開２００６−１７５０１９号公報には、筋肉痛・関節痛などの緩和保険治療等の効果とツボ刺激による指圧的効果を併せ持った消炎鎮痛用貼付布が発表されている。【０００５】  また、これまで身体特定部位に温熱効果や冷感湿布効果などを謳った治療薬剤や製品が多く発表されている。
【特許文献１】特願２００１−２８６５３１号公報
【特許文献２】特開２００６−１７５０１９号公報
【特許文献３】特開２００３−３３６１０３号公報
【考案の開示】
【考案が解決しようとする課題】
【０００６】  特開２００１−２８６５３１号公報は記載してあるごとく、湿布剤の効能とフィルム突起状小区画気体封入材が患部に押し付けられることによるソフトなマッサージ効果であり、特願２００６−１７５０１９公報は記載のように磁石粒の磁力効果とツボ刺激及び消炎鎮痛用貼付布効能の患部に押し付けられることによる効果を謳っている【０００７】  よって、特開２００１−２８６５３１号公報・特願２００６−１７５０１９公報ともに患部の押圧による効果が記載されている。【０００８】  そのため、従来のツボ等の部分的な患部の押圧品と同様に特定部位の刺激作用が強く、長時間の使用に問題が生じる恐れがある。
【課題を解決するための手段】
【０００９】上記の課題を解決するために複数の球形または異形のゴム等弾力性のある物質または空気とともに複数の球形または異形のゴム等弾力性のある物質を封入したものと薬剤効果物質やシートとを組み合わせて、その複数の球形または異形のゴム等弾力性のある物質または空気とともに複数の球形または異形のゴム等弾力性のある物質が荷重や体重移動等による負荷で自由又は思考された方法で平面的及び立体的に移動し、薬剤効果およびマッサージ効果を発揮できることを特徴とするシート状製品や立体的製品及び成果品にする。【００１０】また、複数の球形または異形の弾力性のない物質または空気とともに複数の球形または異形の弾力性のない物質を封入したものと薬剤効果物質やシートとを組み合わせて、その複数の球形または異形の弾力性のない物質または空気とともに複数の球形または異形の弾力性のない物質が荷重や体重移動等による負荷で自由又は思考された方法で平面的及び立体的に移動し、薬剤効果およびマッサージ効果を発揮できることを特徴とするシート状製品や立体的製品及び成果品にする。【００１１】さらに、水などの流体または空気とともに水などの流体を封入したものと薬剤効果物質やシートとを組み合わせて、その水などの流体または空気とともに水などの流体が荷重や体重移動等による負荷で自由又は思考された方法で平面的及び立体的に移動し薬剤効果およびマッサージ効果を発揮できることを特徴とするシート状製品や立体的製品及び成果品にする。【００１２】そして、粘性のある物質または空気とともに粘性のある物質を封入したものと薬剤効果物質やシートとを組み合わせて、その粘性のある物質または空気とともに粘性のある物質が荷重や体重移動等による負荷で自由又は思考された方法で平面的及び立体的に移動し薬剤効果およびマッサージ効果を発揮できることを特徴とするシート状製品や立体的製品及び成果品にする。【００１３】  加えて、複数の球形または異形のゴム等弾力性のある物質または空気とともに複数の球形または異形のゴム等弾力性のある物質と、複数の球形または異形の弾力性の乏しい物質または空気とともに複数の球形または異形の弾力性の乏しい物質と、水などの流体または空気とともに水などの流体と、粘性のある物質または空気とともに粘性のある物質と、湿気吸収剤・香料などの物質との任意の組み合わせたものを封入したものと薬剤効果物質やシートとを組み合わせて、その任意の物質の組み合わせたものが荷重や体重移動等による負荷で自由又は思考された方法で平面的及び立体的に移動し薬剤効果およびマッサージ効果を発揮できることを特徴とするシート状製品や立体的製品及び成果品にする。【００１４】  液状・粘性体の薬剤または液状・粘性体の薬剤を空気やガスとともに球形または異形の弾性体または非弾性体形状物質内に封入し、球形または異形の弾性体または非弾性体の形状物質が回転・移動することで液状・粘性体の薬剤または液状・粘性体の薬剤を空気やガスとともに球形または異形の弾性体または非弾性体形状物質内から染み出て患部に貼付され薬剤効果とともに球形または異形の弾性体または非弾性体形状物質の回転・移動運動によるマッサージ効果を与える薬剤と球形または異形の弾性体または非��性体形状物質を組み合わせたシート状製品や立体的製品及び成果品にする。【００１５】液状・粘性体の薬剤または液状・粘性体の薬剤を空気やガスとともにマイクロカプセル化した物を球形または異形の弾性体または非弾性体形状物質内に封入し、球形または異形の弾性体または非弾性体の形状物質が回転・移動することで液状・粘性体の薬剤または液状・粘性体の薬剤を空気やガスとともに球形または異形の弾性体または非弾性体形状物質内から染み出て患部に貼付され薬剤効果とともに球形または異形の弾性体または非弾性体形状物質の回転・移動運動によるマッサージ効果を与える薬剤と球形または異形の弾性体または非弾性体形状物質を組み合わせたシート状製品や立体的製品及び成果品にする。【００１６】液状・粘性体の薬剤または液状・粘性体の薬剤を空気やガスとともに球形または異形の弾性体または非弾性体形状物質表面に貼付し、球形または異形の弾性体または非弾性体の形状物質が回転・移動することで液状・粘性体の薬剤または液状・粘性体の薬剤を空気やガスとともに球形または異形の弾性体または非弾性体形状物質表面より患部に貼付され、薬剤効果とともに球形または異形の弾性体または非弾性体形状物質の回転・移動運動によるマッサージ効果を与える薬剤と球形または異形の弾性体または非弾性体形状物質を組み合わせたシート状製品や立体的製品及び成果品にする。【００１７】液状・粘性体の薬剤または液状・粘性体の薬剤を空気やガスとともにマイクロカプセル化した物を球形または異形の弾性体または非弾性体形状物質内に封入または表面に貼付し、球形または異形の弾性体または非弾性体の形状物質が回転・移動することで液状・粘性体の薬剤または液状・粘性体の薬剤を空気やガスとともに球形または異形の弾性体または非弾性体形状物質表面より患部に貼付され、薬剤効果とともに球形または異形の弾性体または非弾性体形状物質の回転・移動運動によるマッサージ効果を与える薬剤と球形または異形の弾性体または非弾性体形状物質を組み合わせたシート状製品や立体的製品及び成果品。
【考案の効果】
【００１８】  考案した薬剤効果貼付布と弾性体粒の封入された袋状のものとの組み合わせにより患部の薬剤効果と弾性体粒の移動による平面的だけでなく立体的身体のマッサージ効果あげることが出来る。【００１９】  その人の動きや体型などにあわせて効果的な構造の薬剤効果貼付布と封入物質選定を科学的に計算することも出来る。【００２０】  その製品や成果物としてはリストバンドなどのスポーツ用具・履物・靴下・健康器具などと肩こり筋肉痛治療等の物質塗布・貼付布及び冷・温湿布品との組み合わせによりこの考案での利用ができる。
【考案を実施するための最良の形態】
【００２１】複数の球形または異形のゴム等弾力性のある物質または空気とともに複数の球形または異形のゴム等弾力性のある物質を封入したものと薬剤効果物質やシートとを組み合わせて、その複数の球形または異形のゴム等弾力性のある物質または空気とともに複数の球形または異形のゴム等弾力性のある物質が荷重や体重移動等による負荷で自由又は思考された方法で平面的及び立体的に移動し、薬剤効果およびマッサージ効果を発揮できることを特徴とするシート状製品や立体的製品及び成果品にする。【００２２】また、複数の球形または異形の弾力性のない物質または空気とともに複数の球形または異形の弾力性のない物質を封入したものと薬剤効果物質やシートとを組み合わせて、その複数の球形または異形の弾力性のない物質または空気とともに複数の球形または異形の弾力性のない物質が荷重や体重移動等による負荷で自由又は思考された方法で平面的及び立体的に移動し、薬剤効果およびマッサージ効果を発揮できることを特徴とするシート状製品や立体的製品及び成果品にする。【００２３】さらに、水などの流体または空気とともに水などの流体を封入したものと薬剤効果物質やシートとを組み合わせて、その水などの流体または空気とともに水などの流体が荷重や体重移動等による負荷で自由又は思考された方法で平面的及び立体的に移動し薬剤効果およびマッサージ効果を発揮できることを特徴とするシート状製品や立体的製品及び成果品にする。【００２４】そして、粘性のある物質または空気とともに粘性のある物質を封入したものと薬剤効果物質やシートとを組み合わせて、その粘性のある物質または空気とともに粘性のある物質が荷重や体重移動等による負荷で自由又は思考された方法で平面的及び立体的に移動し薬剤効果およびマッサージ効果を発揮できることを特徴とするシート状製品や立体的製品及び成果品にする。【００２５】  加えて、複数の球形または異形のゴム等弾力性のある物質または空気とともに複数の球形または異形のゴム等弾力性のある物質と、複数の球形または異形の弾力性の乏しい物質または空気とともに複数の球形または異形の弾力性の乏しい物質と、水などの流体または空気とともに水などの流体と、粘性のある物質または空気とともに粘性のある物質と、湿気吸収剤・香料などの物質との任意の組み合わせたものを封入したものと薬剤効果物質やシートとを組み合わせて、その任意の物質の組み合わせたものが荷重や体重移動等による負荷で自由又は思考された方法で平面的及び立体的に移動し薬剤効果およびマッサージ効果を発揮できることを特徴とするシート状製品や立体的製品及び成果品にする。【００２６】  液状・粘性体の薬剤または液状・粘性体の薬剤を空気やガスとともに球形または異形の弾性体または非弾性体形状物質内に封入し、球形または異形の弾性体または非弾性体の形状物質が回転・移動することで液状・粘性体の薬剤または液状・粘性体の薬剤を空気やガスとともに球形または異形の弾性体または非弾性体形状物質内から染み出て患部に貼付され薬剤効果とともに球形または異形の弾性体または非弾性体形状物質の回転・移動運動によるマッサージ効果を与える薬剤と球形または異形の弾性体または非弾性体形状物質を組み合わせ��シート状製品や立体的製品及び成果品にする。【００２７】液状・粘性体の薬剤または液状・粘性体の薬剤を空気やガスとともにマイクロカプセル化した物を球形または異形の弾性体または非弾性体形状物質内に封入し、球形または異形の弾性体または非弾性体の形状物質が回転・移動することで液状・粘性体の薬剤または液状・粘性体の薬剤を空気やガスとともに球形または異形の弾性体または非弾性体形状物質内から染み出て患部に貼付され薬剤効果とともに球形または異形の弾性体または非弾性体形状物質の回転・移動運動によるマッサージ効果を与える薬剤と球形または異形の弾性体または非弾性体形状物質を組み合わせたシート状製品や立体的製品及び成果品にする。【００２８】液状・粘性体の薬剤または液状・粘性体の薬剤を空気やガスとともに球形または異形の弾性体または非弾性体形状物質表面に貼付し、球形または異形の弾性体または非弾性体の形状物質が回転・移動することで液状・粘性体の薬剤または液状・粘性体の薬剤を空気やガスとともに球形または異形の弾性体または非弾性体形状物質表面より患部に貼付され、薬剤効果とともに球形または異形の弾性体または非弾性体形状物質の回転・移動運動によるマッサージ効果を与える薬剤と球形または異形の弾性体または非弾性体形状物質を組み合わせたシート状製品や立体的製品及び成果品にする。【００２９】液状・粘性体の薬剤または液状・粘性体の薬剤を空気やガスとともにマイクロカプセル化した物を球形または異形の弾性体または非弾性体形状物質内に封入または表面に貼付し、球形または異形の弾性体または非弾性体の形状物質が回転・移動することで液状・粘性体の薬剤または液状・粘性体の薬剤を空気やガスとともに球形または異形の弾性体または非弾性体形状物質表面より患部に貼付され、薬剤効果とともに球形または異形の弾性体または非弾性体形状物質の回転・移動運動によるマッサージ効果を与える薬剤と球形または異形の弾性体または非弾性体形状物質を組み合わせたシート状製品や立体的製品及び成果品にする。
【実施例】
【００３０】  図１のように粒状のエラストマー２を封入した袋３を肩こり緩和貼付布５の布部６に粘着し、緩和貼付布５の肩こり緩和薬剤粘着部４を足の裏１に粘着し、展示会や散歩に出かけたところ従来では足の疲れが溜まってしまうのが足全体に緩和薬剤効果とマッサージ効果があり、４日間の展示会の立ちながらの説明が容易に出来た。【００３１】  肩の痛い患部に上記と同様のものを貼り、就寝したところ緩和薬剤効果とマッサージ効果があり寝覚めがよく、肩の痛さも緩和された。
【産業上の利用可能性】
【００３２】  その製品や成果品としてリストバンドなどのスポーツ用具・履物・靴下・健康器具などと肩こり筋肉痛治療等の物質塗布・貼付布及び冷・温湿布品との組み合わせによる敷物・健康・医療器具など疲労回復効果・マッサージ効果・疲労防止用品に活用できる。
【図面の簡単な説明】
【００３３】
【図１】  粒状のエラストマーを封入した袋と肩こり緩和貼付布を組み合わせ、緩和貼付布を足の裏に粘着した断面概略図である。
【図２】  液状・粘性体の薬剤を球形の弾性体形状物質内に封入した断面概略図である。
【図３】  液状・粘性体の薬剤を球形の弾性体形状物質表面に貼付した断面概略図である。
【図４】  マイクロカプセル化した液状・粘性体の薬剤を球形の弾性体形状物質表面に貼付した断面概略図である。
【符号の説明】
【００３４】    １  足裏
２  粒状のエラストマー
３  粒状のエラストマーを封入した袋
４  肩こり緩和薬剤粘着部
５  緩和貼付布
６  緩和貼付布の布部
７  液状・粘性体の薬剤が染み出る球形の弾性体形状物質
８  液状・粘性体の薬剤
９  球形の弾性体形状物質
１０  マイクロカプセル化した液状・粘性体の薬剤
１１  足
【図１】
0003131717.tif 000003
【図２】
0003131717.tif 000004
【図３】
0003131717.tif 000005
【図４】
0003131717.tif 000006
【手続補正書】
【提出日】平成18年11月15日(2006.11.15)
【手続補正１】
【補正対象書類名】実用新案登録請求の範囲
【補正対象項目名】全文
【補正方法】変更
【補正の内容】
【実用新案登録請求の範囲】
【請求項１】
複数の球形または異形のゴム等弾力性のある物質または空気とともに複数の球形または異形のゴム等弾力性のある物質を封入したものと薬剤効果物質やシートとを組み合わせて、その複数の球形または異形のゴム等弾力性のある物質または空気とともに複数の球形または異形のゴム等弾力性のある物質が荷重や体重移動等による負荷で自由又は科学的に計算された方法で平面的及び立体的に移動し、薬剤効果およびマッサージ効果を発揮できることを特徴とするシート状製品や立体的製品。
【請求項２】
複数の球形または異形の弾力性のない物質または空気とともに複数の球形または異形の弾力性のない物質を封入したものと薬剤効果物質やシートとを組み合わせて、その複数の球形または異形の弾力性のない物質または空気とともに複数の球形または異形の弾力性のない物質が荷重や体重移動等による負荷で自由又は科学的に計算された方法で平面的及び立体的に移動し、薬剤効果およびマッサージ効果を発揮できることを特徴とするシート状製品や立体的製品。
【請求項３】
水などの流体または空気とともに水などの流体を封入したものと薬剤効果物質やシートとを組み合わせて、その水などの流体または空気とともに水などの流体が荷重や体重移動等による負荷で自由又は科学的に計算された方法で平面的及び立体的に移動し薬剤効果およびマッサージ効果を発揮できることを特徴とするシート状製品や立体的製品。
【請求項４】
粘性のある物質または空気とともに粘性のある物質を封入したものと薬剤効果物質やシートとを組み合わせて、その粘性のある物質または空気とともに粘性のある物質が荷重や体重移動等による負荷で自由又は科学的に計算された方法で平面的及び立体的に移動し薬剤効果およびマッサージ効果を発揮できることを特徴とするシート状製品や立体的製品。
【請求項５】
複数の球形または異形のゴム等弾力性のある物質または空気と組み合わせた複数の球形または異形のゴム等弾力性のある物質と、複数の球形または異形の弾力性の乏しい物質または空気と組み合わせた複数の球形または異形の弾力性の乏しい物質と、水などの流体または空気と組み合わせた水などの流体と、粘性のある物質または空気と組み合わせた粘性のある物質と、湿気吸収剤・香料などの物質との任意の組み合わせたものを封入したものと薬剤効果物質やシートとを組み合わせて、その任意の物質の組み合わせたものが荷重や体重移動等による負荷で自由又は科学的に計算された方法で平面的及び立体的に移動し薬剤効果およびマッサージ効果を発揮できることを特徴とするシート状製品や立体的製品。
【請求項６】
液状・粘性体の薬剤または液状・粘性体の薬剤を空気やガスとともに球形または異形の弾性体または非弾性体形状物質内に封入し、球形または異形の弾性体または非弾性体の形状物質が回転・移動することで液状・粘性体の薬剤または液状・粘性体の薬剤が空気やガスとともに球形または異形の弾性体または非弾性体形状物質内から染み出て患部に貼付され薬剤効果とともに球形または異形の弾性体または非弾性体形状物質の回転・移動運動によるマッサージ効果を与える薬剤と球形または異形の弾性体または非弾性体形状物質を組み合わせたシート状製品や立体的製品。
【請求項７】
液状・粘性体の薬剤または液状・粘性体の薬剤を空気やガスとともにマイクロカプセル化した物を球形または異形の弾性体または非弾性体形状物質内に封入し、球形または異形の弾性体または非弾性体の形状物質が回転・移動することで液状・粘性体の薬剤または液状・粘性体の薬剤が空気やガスとともに球形または異形の弾性体または非弾性体形状物質内から染み出て患部に貼付され薬剤効果とともに球形または異形の弾性体または非弾性体形状物質の回転・移動運動によるマッサージ効果を与える薬剤と球形または異形の弾性体または非弾性体形状物質を組み合わせたシート状製品や立体的製品。
【請求項８】
液状・粘性体の薬剤または液状・粘性体の薬剤を空気やガスとともに球形または異形の弾性体または非弾性体形状物質表面に貼付し、球形または異形の弾性体または非弾性体の形状物質が回転・移動することで液状・粘性体の薬剤または液状・粘性体の薬剤が空気やガスとともに球形または異形の弾性体または非弾性体形状物質表面より患部に貼付され、薬剤効果とともに球形または異形の弾性体または非弾性体形状物質の回転・移動運動によるマッサージ効果を与える薬剤と球形または異形の弾性体または非弾性体形状物質を組み合わせたシート状製品や立体的製品。
【請求項９】
液状・粘性体の薬剤または液状・粘性体の薬剤を空気やガスとともにマイクロカプセル化した物を球形または異形の弾性体または非弾性体形状物質内に封入または表面に貼付し、球形または異形の弾性体または非弾性体の形状物質が回転・移動することで液状・粘性体の薬剤または液状・粘性体の薬剤が空気やガスとともに球形または異形の弾性体または非弾性体形状物質表面より患部に貼付され、薬剤効果とともに球形または異形の弾性体または非弾性体形状物質の回転・移動運動によるマッサージ効果を与える薬剤と球形または異形の弾性体または非弾性体形状物質を組み合わせたシート状製品や立体的製品。
【手続補正書】
【提出日】平成19年2月1日(2007.2.1)
【手続補正１】
【補正対象書類名】実用新案登録請求の範囲
【補正対象項目名】全文
【補正方法】変更
【補正の内容】
【実用新案登録請求の範囲】
【請求項１】
複数の球形または異形のゴム等弾力性のある物質または空気とともに複数の球形または異形のゴム等弾力性のある物質を封入したものと薬剤効果物質とシートとを組み合わせて、その複数の球形または異形のゴム等弾力性のある物質または空気とともに複数の球形または異形のゴム等弾力性のある物質が荷重や体重移動等による負荷で自由又は科学的に計算された方法で平面的及び立体的に移動し、薬剤効果およびマッサージ効果を発揮できることを特徴とするシート状製品。
【請求項２】
複数の球形または異形の弾力性のない物質または空気とともに複数の球形または異形の弾力性のない物質を封入したものと薬剤効果物質とシートとを組み合わせて、その複数の球形または異形の弾力性のない物質または空気とともに複数の球形または異形の弾力性のない物質が荷重や体重移動等による負荷で自由又は科学的に計算された方法で平面的及び立体的に移動し、薬剤効果およびマッサージ効果を発揮できることを特徴とするシート状製品。
【請求項３】
水などの流体または空気とともに水などの流体を封入したものと薬剤効果物質とシートとを組み合わせて、その水などの流体または空気とともに水などの流体が荷重や体重移動等による負荷で自由又は科学的に計算された方法で平面的及び立体的に移動し薬剤効果およびマッサージ効果を発揮できることを特徴とするシート状製品。
【請求項４】
粘性のある物質または空気とともに粘性のある物質を封入したものと薬剤効果物質とシートとを組み合わせて、その粘性のある物質または空気とともに粘性のある物質が荷重や体重移動等による負荷で自由又は科学的に計算された方法で平面的及び立体的に移動し薬剤効果およびマッサージ効果を発揮できることを特徴とするシート状製品。
【請求項５】
複数の球形または異形のゴム等弾力性のある物質または空気と組み合わせた複数の球形または異形のゴム等弾力性のある物質と、複数の球形または異形の弾力性の乏しい物質または空気と組み合わせた複数の球形または異形の弾力性の乏しい物質と、水などの流体または空気と組み合わせた水などの流体と、粘性のある物質または空気と組み合わせた粘性のある物質と、湿気吸収剤・香料などの物質との任意の組み合わせたものを封入したものと薬剤効果物質とシートとを組み合わせて、その任意の物質の組み合わせたものが荷重や体重移動等による負荷で自由又は科学的に計算された方法で平面的及び立体的に移動し薬剤効果およびマッサージ効果を発揮できることを特徴とするシート状製品。
【請求項６】
液状・粘性体の薬剤または液状・粘性体の薬剤を空気やガスとともに球形または異形の弾性体または非弾性体形状物質内に封入し、球形または異形の弾性体または非弾性体の形状物質が回転・移動することで液状・粘性体の薬剤または液状・粘性体の薬剤が空気やガスとともに球形または異形の弾性体または非弾性体形状物質内から染み出て患部に貼付され薬剤効果とともに球形または異形の弾性体または非弾性体形状物質の回転・移動運動によるマッサージ効果を与える薬剤と球形または異形の弾性体または非弾性体形状物質を組み合わせたシート状製品。
【請求項７】
液状・粘性体の薬剤または液状・粘性体の薬剤を空気やガスとともにマイクロカプセル化した物を球形または異形の弾性体または非弾性体形状物質内に封入し、球形または異形の弾性体または非弾性体の形状物質が回転・移動することで液状・粘性体の薬剤または液状・粘性体の薬剤が空気やガスとともに球形または異形の弾性体または非弾性体形状物質内から染み出て患部に貼付され薬剤効果とともに球形または異形の弾性体または非弾性体形状物質の回転・移動運動によるマッサージ効果を与える薬剤と球形または異形の弾性体または非弾性体形状物質を組み合わせたシート状製品。
【請求項８】
液状・粘性体の薬剤または液状・粘性体の薬剤を空気やガスとともに球形または異形の弾性体または非弾性体形状物質表面に貼付し、球形または異形の弾性体または非弾性体の形状物質が回転・移動することで液状・粘性体の薬剤または液状・粘性体の薬剤が空気やガスとともに球形または異形の弾性体または非弾性体形状物質表面より患部に貼付され、薬剤効果とともに球形または異形の弾性体または非弾性体形状物質の回転・移動運動によるマッサージ効果を与える薬剤と球形または異形の弾性体または非弾性体形状物質を組み合わせたシート状製品。
【請求項９】
液状・粘性体の薬剤または液状・粘性体の薬剤を空気やガスとともにマイクロカプセル化した物を球形または異形の弾性体または非弾性体形状物質内に封入または表面に貼付し、球形または異形の弾性体または非弾性体の形状物質が回転・移動することで液状・粘性体の薬剤または液状・粘性体の薬剤が空気やガスとともに球形または異形の弾性体または非弾性体形状物質表面より患部に貼付され、薬剤効果とともに球形または異形の弾性体または非弾性体形状物質の回転・移動運動によるマッサージ効果を与える薬剤と球形または異形の弾性体または非弾性体形状物質を組み合わせたシート状製品。